(57)【特許請求の範囲】
【請求項１】
平面でみて、後部開口のＣ字形状に形成した弾性リング状部の両端部から左右一対のレバー４を後方突出するねじ状蓋開蓋具１において、
上記弾性リング状部２の上端部内面から複数の係合突子８を内方突設すると共にその係合突子８下方の弾性リング状部分内面を、下向き段部５を介して２つの部分に区分して、その段差下方の部分を大径のねじ状蓋挟持面７に、その上方部分を小径のねじ状蓋挟持面６にそれぞれ形成し、又上記Ｃ字形状の弾性リング状部を上方へ延長して、上方から見てＣ字形の延長部９に形成し、該延長部内面を、上記係合突子８下方の弾性リング状部分が形成する複数のねじ状蓋挟持面と異なる内径のねじ状蓋挟持面とした
ことを特徴とするねじ状蓋開蓋具。
【請求項２】
上記複数係合突子を同一長さに形成して、これ等複数係合突子内面でねじ状蓋挟持面とした
ことを特徴とする、請求項１記載のねじ状蓋開蓋具。
【発明の詳細な説明】
【技術分野】
【０００１】
本発明はねじ状蓋開蓋具に関する。
【背景技術】
【０００２】
ねじ蓋開け具として、平面でみて、後部開口のＣ字形状に形成した弾性リング状部の開口部両端から、左右一対のレバーを後方突出した用具が知られている（特許文献１）。
【特許文献１】特開平９−１８３４９０号公報
【発明の開示】
【発明が解決しようとする課題】
【０００３】
容器体ないし瓶口頸部外面へ螺合等したねじ状蓋は、締め付けが強すぎると開蓋のための蓋回動の際に指が滑り、その開蓋が困難となる。そのため上記弾性リング状部内に蓋を位置させた状態で、後方突出する左右一対のレバーを強く握って上記弾性リング状部の内径を狭め、蓋周壁を挟持させてレバーを開蓋方向へ回動させるが、従来の用具は蓋に対する、用具挟持面の位置決めが行い難い不便があった。
【０００４】
本発明はその挟持面位置決めが容易であると共に、外径を異にする蓋用として、複数の挟持面を設けたものである。
【課題を解決するための手段】
【０００５】
第１の手段として平面でみて、後部開口のＣ字形状に形成した弾性リング状部の両端部から左右一対のレバー４を後方突出するねじ状蓋開蓋具１において、
上記弾性リング状部２の上端部内面から複数の係合突子８を内方突設すると共にその係合突子８下方の弾性リング状部分内面を、下向き段部５を介して２つの部分に区分して、その段差下方の部分を大径のねじ状蓋挟持面７に、その上方部分を小径のねじ状蓋挟持面６にそれぞれ形成し、又上記Ｃ字形状の弾性リング状部を上方へ延長して、上方から見てＣ字形の延長部９に形成し、該延長部内面を、上記係合突子８下方の弾性リング状部分が形成する複数のねじ状蓋挟持面と異なる内径のねじ状蓋挟持面とした。
【０００６】
第２の手段として、上記第１の手段を有すると共に上記複数係合突子を同一長さに形成して、これ等複数係合突子内面でねじ状蓋挟持面とした。
【発明の効果】
【０００７】
請求項１のようにすることで、弾性リング状部２内面のうち小径挟持面６に合致する外径を有する蓋を開蓋する際は、該蓋上面外周部へ各係合突子８の下面を当接させて蓋の位置決めすればよく、又大径挟持面７と合致する外径の蓋を開蓋する際は、その大径挟持面上方に下向き段部５が形成させてあるから、その下向き段部下面へ蓋上面外周を当接させて、蓋の位置決めをすることが出来る。更に上記弾性リング状部２上方へ延長部９を起立させて該延長部内面でも、係合突子８下方の弾性リング状部部分内面が形成する、２つのねじ状蓋挟持面と異なる内径のねじ状挟持面を形成したから、ねじ状蓋挟持面の数を増して異なる外径のねじ状蓋を開蓋することが出来る。更に又該延長部内面で形成した挟持面でねじ状蓋を挟持する場合は、ねじ状蓋開蓋具を上下逆向きとして該延長部内面が形成する挟持面内へねじ状蓋を、該ねじ状蓋の上面外周上へ係合突子８上面を載置させてレバー４を握持すればよいから、その延長部内面が形成する挟持面内へのねじ状蓋の位置決めが容易となる。
【０００８】
請求項２のようにすることで、複数係合突子８の内面でも外径の小さいねじ状蓋用の挟持面を形成でき、複数係合突子８の長さを等しくすることでねじ状蓋をバランスよく挟持できる。
【発明を実施するための最良の形態】
【０００９】
以下図面について説明すると、１はねじ状蓋開蓋具である。該開蓋具は、上方からみて後部開口のＣ字形状に形成した弾性リング状部２の開口３両端部から後方（図右方）へ向けて左右一対のレバー４を後外方へ拡開突出させている。尚本願が云うねじ状蓋とは、周壁内面に雌ねじを有する通常のねじ蓋のほか、容器体口頸部の外面と蓋周壁内面との一方に溝等を、他方にはその溝内を摺動する突子等を設けて、口頸部に対する蓋の正逆両方向への回動により開閉蓋できる蓋を含むものとする。
【００１０】
図２が示すように弾性リング状部２は、上下方向中間部内面に下向き段部５を有して、該下向き段部よりも上方の弾性リング状部分内面を小径の挟持面６と、かつ下方を大径の挟持面７とし、又弾性リング状部２の上端内面からは複数の係合突子８を弾性リング状部中心軸線方向へ突出させている。これ等係合突子は通常上記小径挟持面内へ嵌合させるねじ状蓋上面外周部上へ載置させるストッパーとして使用するが、それ等係合突子内端円とほぼ一致する外周を有する蓋に対しては、該蓋周壁外面へ係合突子の内端面を当接させ、該状態からレバー４を握り、各係合突子内端円を小径化させて開蓋することも可能であり、この場合のためには、各係合突子の長さを等しくし、かつ適当な厚み巾として上記挟持が可能に設けておく。
【００１１】
図示例では下向き段部５を１箇だけとしたが、挟持面を上、中、下の３面とする場合は下向き段部５を２箇とすることとなる。各挟持面には、それぞれ複数の滑り止め突条を縦設してもよい。
【００１２】
図２が示すように弾性リング状部２を上方へ延長して該延長部９の内面も既述複数のねじ状蓋挟持面と異なる内径の挟持面としている。該挟持面は図２が示すように最も大きい内径を有する挟持面としているが、必ずしもそのように形成しなくても差支えない。又図示例ではその延長部外径を弾性リング状部２外径と等しくしているが、該延長部外径は大外径としてもよく、このようにすることで、該延長部肉厚を大とすることが出来る。
【００１３】
レバー４は、両レバー後部を強く握って両レバー間の間隙を狭めることで既述挟持面でねじ状蓋外面を強く挟持するから、このときレバーが弾性変形しないよう相当の剛性を持たせておく。それ等両レバーの後部外面へも滑止め突条10をそれぞれ縦設しておくことが望ましい。
【００１４】
上記開蓋具は次のように使用することが出来る。例えば小径の挟持面６内へ容器体へ嵌合させた蓋を嵌合させて該蓋上面へ係合突子８を係合させ、該状態から両レバー４を握り開口３を狭めて上記小径の挟持面６で蓋周壁を強く挟持し、該状態からレバー４を開蓋方向へ回し蓋を外せばよい。延長部９内面でねじ状蓋を挟持する場合も開蓋具を上下逆向きとし、係合突子８をねじ状蓋上面へ載置させて挟持すればよい。
【００１５】
挟持用蓋外径が小径挟持面６よりも大でかつ大径挟持面７よりも小であるような場合は、一対のレバー間隔を弾性に抗して拡げることで小径挟持面内径を大径化させ、該大径化された小径挟持面内へ蓋を嵌合させればよい。従って各挟持面は予め定められた径よりも多少大径の蓋に対しても嵌合させることが出来ることとなる。又これとは逆に開口３の両端間の間隔を拡げておけば多少大径の蓋に対してもレバーを介して開口を狭めて挟持面内径を普通以上に絞ることで蓋を挟持することが出来る。
【図面の簡単な説明】
【００１６】
【図１】本発明開蓋具の底面図である。
【図２】図１Ａ−Ａ線を矢示方向へみた断面図である。
【符号の説明】
【００１７】
２  弾性リング状部            ３  開口
４  レバー                    ５  下向き段部
６  小径の挟持面              ７  大径の挟持面
８  係合突子                  ９  延長部
【図１】
0004407952.tif 000002
【図２】
0004407952.tif 000003